(57)【要約】【課題】ホストコンピュータと端末装置とが使用可能なチャネルを同時に考慮に入れて、再接続を確立する。【解決手段】電磁干渉を受ける環境に用いる無線システムの再接続方法であって、無線システムは一つのホストコンピュータと一つの端末装置とを備える。この再接続方法はホストコンピュータと端末装置との間の非同期チャネルのサーチにより、ホストコンピュータが端末装置と通信可能なチャネルを探し、端末装置はこの通信チャネルを介してそのチャネル状況をホストコンピュータに通知し、ホストコンピュータは両者の接続に最適なチャネルを判断し、通信チャネルを介して端末装置に通知し、両者は最適なチャネルを用いて再接続する。【選択図】図４
2007135173.tif 000002
【特許請求の範囲】
【請求項１】
第１のチャネルと、第２のチャネルと、第３のチャネルとを含む複数のチャネルのうちの一つを選択的に用いて接続する無線システムであって、
端末装置と、
前記端末装置とで初期的には前記第１のチャネルを用いて接続するホストコンピュータと、を備え、
もし、前記ホストコンピュータが、前記第１のチャネルを用いての接続が異常であると判断すると、前記第２のチャネルを選択して前記端末装置と接続し、
もし、前記ホストコンピュータが、前記第２のチャネルを介しても前記端末装置からの応答がないと判断すると、前記第３のチャネルを選択して端末装置と前記接続し、
もし、前記端末装置が、前記第１のチャネルを用いての接続が異常であると判断すると、前記第２のチャネルを選択して前記ホストコンピュータと接続し、
もし、前記端末装置が、前記第２のチャネルを介しても前記ホストコンピュータからの信号を受信していないと判断すると、前記第３のチャネルを選択して前記ホストコンピュータと接続することを特徴とする、
無線システム。
【請求項２】
前記端末装置が、前記第２のチャネルを選択して前記ホストコンピュータと接続する前に、前記複数のチャネル中から接続を維持可能なチャネルを検出することを特徴とする、請求項１記載の無線システム。
【請求項３】
もし、前記ホストコンピュータが前記応答を受け取ると、前記ホストコンピュータは、前記端末装置が前記接続を維持可能なチャネルを報告したことを記録することを特徴とする、請求項２記載の無線システム。
【請求項４】
前記ホストコンピュータは、さらに前記第２のチャネルを介して前記端末装置に前記接続を維持可能なチャネルのうちの一つである第４のチャネルに切り換えるよう通知し、かつ、前記ホストコンピュータと前記端末装置とが、前記第４のチャネルを用いて接続することを特徴とする、請求項３記載の無線システム。
【請求項５】
複数の端末装置をさらに備え、前記端末装置は前記複数の端末装置のうちの一つであり、前記第４のチャネルは前記複数の端末装置の全てが接続を維持可能な共同のチャネルであることを特徴とする、請求項４記載の無線システム。
【請求項６】
複数の端末装置をさらに備え、前記端末装置は前記複数の端末装置のうちの一つであり、前記第４のチャネルは前記複数の端末装置の最も多数が接続を維持可能な共同のチャネルであることを特徴とする、請求項４記載の無線システム。
【請求項７】
前記ホストコンピュータが、前記第３のチャネルを選択して前記端末装置と接続する前に、前記端末装置が前記複数のチャネルを切り換えるための所要時間の２倍である所定時間、前記第２のチャネルに留まることを特徴とする、請求項１記載の無線システム。
【請求項８】
前記無線システムは、低速の無線近距離ネットワークを使用することを特徴とする、請求項１記載の無線システム。
【請求項９】
ホストコンピュータと端末装置とを備え、前記ホストコンピュータと前記端末装置とは、複数の使用可能なチャネルのうちの一つである第１のチャネルを、初期的に用いて接続する無線システムの再接続方法であって、
（ａ）前記ホストコンピュータが、前記第１のチャネルを用いての接続が正常か否かを判断し、もし、異常であればステップ（ｂ）および（ｃ）を実行するステップと、
（ｂ）前記ホストコンピュータが、同じく前記複数の使用可能なチャネルのうちの一つである第２のチャネルを選択して前記端末装置と接続するステップと、
（ｃ）前記ホストコンピュータが、前記第２のチャネルを介して前記端末装置からの応答があったか否かを判断し、もし、応答がないのであれば、ステップ（ｄ）を実行するステップと、
（ｄ）前記ホストコンピュータが、同じく前記複数の使用可能なチャネルのうちの一つである第３のチャネルを選択して前記端末装置と接続するステップと、
（ｅ）前記端末装置が、前記第１のチャネルを用いての接続が正常か否かを判断し、もし、異常であればステップ（ｆ）および（ｇ）を実行するステップと、
（ｆ）前記端末装置が、前記第２のチャネルを選択して前記ホストコンピュータと接続するステップと、
（ｇ）前記端末装置が、前記第２のチャネルを介して前記ホストコンピュータからの信号を受信したか否かを判断し、もし、受信していないのであれば、ステップ（ｈ）を実行するステップと、
（ｈ）前記端末装置が、前記第３のチャネルを選択して前記ホストコンピュータと接続するステップと、を含むことを特徴とする、
無線システムの再接続方法。
【請求項１０】
（ｉ）前記端末装置が、前記複数の使用可能なチャネル中から接続を維持可能なチャネルを検出するステップ、をさらに含むことを特徴とする、請求項９記載の再接続方法。
【請求項１１】
もし、ステップ（ｃ）にて応答があったと判断すると、（ｊ）前記ホストコンピュータは、前記端末装置が前記接続を維持可能なチャネルを報告したことを記録するステップ、をさらに含むことを特徴とする、請求項１０記載の再接続方法。
【請求項１２】
（ｋ）前記ホストコンピュータは、前記第２のチャネルを介して前記端末装置に前記接続を維持可能なチャネルのうちの一つである第４のチャネルに切り換えるよう通知するステップと、（ｌ）前記ホストコンピュータと前記端末装置とが前記第４のチャネルを用いて接続するステップと、をさらに含むことを特徴とする、請求項１１記載の再接続方法。
【請求項１３】
前記無線システムは、複数の端末装置をさらに備え、前記端末装置は、前記複数の端末装置のうちの一つであり、前記第４のチャネルは、前記複数の端末装置の全てが接続を維持可能な共同のチャネルであることを特徴とする、請求項１２記載の再接続方法。
【請求項１４】
前記無線システムは、複数の端末装置をさらに備え、前記端末装置は、前記複数の端末装置のうちの一つであり、前記第４のチャネルは、前記複数の端末装置の最も多数が接続を維持可能な共同のチャネルであることを特徴とする、請求項１２記載の再接続方法。
【請求項１５】
ステップ（ｃ）を実行するとき、前記ホストコンピュータが、前記端末装置が前記複数のチャネルを切り換えるための所要時間の２倍である所定時間、前記第２のチャネルに留まることを特徴とする、請求項９記載の再接続方法。
【請求項１６】
前記無線システムは、低速の無線近距離ネットワークを使用することを特徴とする、請求項９記載の再接続方法。
【請求項１７】
無線システムの再接続方法を実行するためのコンピュータプログラムを格納するコンピュータ読取り可能媒体であって、
前記無線システムは、ホストコンピュータと端末装置とを備え、
前記ホストコンピュータと前記端末装置とは、複数の使用可能なチャネルのうちの一つである第１のチャネルを初期的に用いて接続するものであり、
前記再接続方法は、
（ａ）前記ホストコンピュータが、前記第１のチャネルを用いての接続が正常か否かを判断し、もし、異常であればステップ（ｂ）および（ｃ）を実行するステップと、
（ｂ）前記ホストコンピュータが、同じく前記複数の使用可能なチャネルのうちの一つである第２のチャネルを選択して前記端末装置と接続するステップと、
（ｃ）前記ホストコンピュータが、前記第２のチャネルを介して前記端末装置からの応答があったか否かを判断し、もし、応答がないのであれば、ステップ（ｄ）を実行するステップと、
（ｄ）前記ホストコンピュータが、同じく前記複数の使用可能なチャネルのうちの一つである第３のチャネルを選択して前記端末装置と接続するステップと、
（ｅ）前記端末装置が、前記第１のチャネルを用いての接続が正常か否かを判断し、もし、異常であればステップ（ｆ）および（ｇ）を実行するステップと、
（ｆ）前記端末装置が、前記第２のチャネルを選択して前記ホストコンピュータと接続するステップと、
（ｇ）前記端末装置が、前記第２のチャネルを介して前記ホストコンピュータからの信号を受信したか否かを判断し、もし、受信していないのであれば、ステップ（ｈ）を実行するステップと、
（ｈ）前記端末装置が、前記第３のチャネルを選択して前記ホストコンピュータと接続するステップと、を含むことを特徴とする、
コンピュータ読取り可能媒体。
【請求項１８】
前記再接続方法は、（ｉ）前記端末装置が、前記複数の使用可能なチャネル中から接続を維持可能なチャネルを検出するステップ、をさらに含むことを特徴とする、請求項１７記載のコンピュータ読取り可能媒体。
【請求項１９】
もし、ステップ（ｃ）にて応答があったと判断すると、前記再接続方法は、（ｊ）前記ホストコンピュータは、前記端末装置が前記接続を維持可能なチャネルを報告したことを記録するステップ、をさらに含むことを特徴とする、請求項１８記載のコンピュータ読取り可能媒体。
【請求項２０】
前記再接続方法は、（ｋ）前記ホストコンピュータは、前記第２のチャネルを介して前記端末装置に前記接続を維持可能なチャネルのうちの一つである第４のチャネルに切り換えるよう通知するステップと、（ｌ）前記ホストコンピュータと前記端末装置とが、前記第４のチャネルを用いて接続するステップと、をさらに含むことを特徴とする、請求項１９記載のコンピュータ読取り可能媒体。
【請求項２１】
前記無線システムは、複数の端末装置をさらに備え、前記端末装置は、前記複数の端末装置のうちの一つであり、前記第４のチャネルは、前記複数の端末装置の全てが接続を維持可能な共同のチャネルであることを特徴とする、請求項２０記載のコンピュータ読取り可能媒体。
【請求項２２】
前記無線システムは、複数の端末装置をさらに備え、前記端末装置は、前記複数の端末装置のうちの一つであり、前記第４のチャネルは、前記複数の端末装置の最も多数が接続を維持可能な共同のチャネルであることを特徴とする、請求項２０記載のコンピュータ読取り可能媒体。
【請求項２３】
前記再接続方法が、ステップ（ｃ）を実行するとき、前記ホストコンピュータが、前記端末装置が前記複数のチャネルを切り換えるための所要時間の２倍である所定時間、前記第２のチャネルに留まることを特徴とする、請求項１７記載のコンピュータ読取り可能媒体。
【請求項２４】
前記無線システムは、低速の無線近距離ネットワークを使用することを特徴とする、請求項１７記載のコンピュータ読取り可能媒体。
【発明の詳細な説明】
【技術分野】
【０００１】
本発明は、電磁干渉中において再接続可能な無線システム、再接続方法およびそのコンピュータ読取り可能媒体に関し、より詳細には、電磁干渉中において非同期チャネルを用いてサーチすることにより再接続する無線システム、再接続方法およびそのコンピュータ読取り可能媒体に関する。
【背景技術】
【０００２】
無線ネットワークの通信時において、例えばワイヤレス電話の無線周波数または電子レンジのマイクロ波といった、予期しない外部の電磁干渉により、伝送速度の低下、最悪の場合、接続が切断され、ネットワークの接続品質に影響することがよくあることから、無線ネットワークの接続安定性および伝送速度は、通信分野の研究発展の重点となっている。
【０００３】
従来の無線システムにおける再接続方法は、ネットワークがなおも通信可能な環境下で主に使用されている。データ伝送時においては、端末装置が、チャネルが使用可能である状況をホストコンピュータに報告し、もし使用中のチャネルの接続品質が思わしくない場合、ホストコンピュータは使用するチャネルを切り換えるよう端末装置に通知し、そして、ホストコンピュータと端末装置とは、再度この使用チャネルに同時に切り換えて、再接続を完了する。
【０００４】
図１は、無線ネットワーク環境中で電磁干渉を低減する従来のものを説明するための概略図である。
このネットワーク環境は、ホストコンピュータ１１と、ビーコン信号生成手段１３と、二台の端末装置１７を備えている。
ビーコン信号生成手段１３は、ホストコンピュータ１１の近傍に設けられる。その帯域幅のカバー範囲（ｂａｓｉｃ  ｓｅｒｖｉｃｅ  ａｒｅａ、ＢＳＡ）１９は、ホストコンピュータ１１の帯域幅のカバー範囲と同じである。ビーコン信号生成手段１３は、ビーコン信号を定時的に送出している。
ネットワーク環境が電磁干渉を受けたとき、例えばホストコンピュータ１１が電磁干渉源１５の電磁干渉源の作用範囲内に置かれている場合、ホストコンピュータ１１はあるチャネルに切り換えて、ビーコン信号生成手段１３はこの情報を端末装置１７に送出し、端末装置１７では、使用チャネルを最高または最低の周波帯に変更する。ビーコン信号に付帯しているホストコンピュータ１１の使用チャネルの情報を取得した後、端末装置１７は、ホストコンピュータ１１が用いるチャネルに再度切り換えて、ホストコンピュータ１１と再接続する。
【発明の開示】
【発明が解決しようとする課題】
【０００５】
上記した機構では、確かに無線ネットワークが電磁干渉を受けたときに再接続することは可能であるが、無線システムにビーコン信号生成手段を付加して始めて運用可能であり、しかも再接続の際、ホストコンピュータの置かれた環境のみが考慮されるにとどまり、もし外部の電磁干渉により端末装置がビーコン信号を受信することができなくなった場合、または、外部の電磁干渉により端末装置がホストコンピュータの選択したチャネルに切り換えることができなくなった場合には、無線システムは再接続できなくなってしまう。
したがって、ホストコンピュータと端末装置とが使用可能なチャネルを同時に考慮に入れて、再接続を確立することは、この分野の研究開発の目標となっている。
【課題を解決するための手段】
【０００６】
本発明の目的は、無線システムを提供するところにある。
この無線システムは、第１のチャネルと、第２のチャネルと、第３のチャネルとを含む複数のチャネルのうちの一つを選択的に用いて接続する。
この無線システムは、端末装置とホストコンピュータとを備え、ホストコンピュータと端末装置とは初期的には第１のチャネルを用いて接続する。もしホストコンピュータが、第１のチャネルを用いての接続が異常であると判断すると、第２のチャネルを選択して端末装置と接続し、もしホストコンピュータが、第２のチャネルを介しても端末装置からの応答がないと判断すると、第３のチャネルを選択して端末装置と接続する。もし端末装置が、第１のチャネルを用いての接続が異常であると判断すると、第２のチャネルを選択してホストコンピュータと接続し、もし端末装置が、第２のチャネルを介してもホストコンピュータからの信号を受信していないと判断すると、第３のチャネルを選択してホストコンピュータと接続する。
この無線システムでは、これによりホストコンピュータと端末装置とが接続するためのチャネルを判断し、端末装置とホストコンピュータとが完全に切断された場合に接続を回復するものであり、無線システムにその他ハードウェアを付加する必要もない。
【０００７】
本発明の他の目的は、無線システム用の再接続方法を提供するところにある。この無線システムは、ホストコンピュータと端末装置とを備え、ホストコンピュータと端末装置とは複数の使用可能なチャネルのうちの一つである第１のチャネルを初期的に用いて接続する。この再接続方法は、（ａ）ホストコンピュータが、第１のチャネルを用いての接続が正常か否かを判断し、もし異常であればステップ（ｂ）および（ｃ）を実行するステップと、（ｂ）ホストコンピュータが、同じく複数の使用可能なチャネルのうちの一つである第２のチャネルを選択して端末装置と接続するステップと、（ｃ）ホストコンピュータが、第２のチャネルを介して端末装置からの応答があったか否かを判断し、もし応答がないのであれば、ステップ（ｄ）を実行するステップと、（ｄ）ホストコンピュータが、同じく複数の使用可能なチャネルのうちの一つである第３のチャネルを選択して端末装置と接続するステップと、（ｅ）端末装置が、第１のチャネルを用いての接続が正常か否かを判断し、もし異常であればステップ（ｆ）および（ｇ）を実行するステップと、（ｆ）端末装置が、第２のチャネルを選択してホストコンピュータと接続するステップと、（ｇ）端末装置が、第２のチャネルを介してホストコンピュータからの信号を受信したか否かを判断し、もし受信していないのであれば、ステップ（ｈ）を実行するステップと、（ｈ）端末装置が、第３のチャネルを選択してホストコンピュータと接続するステップと、を含む。
この方法では、ホストコンピュータと端末装置とが接続するためのチャネルを判断し、端末装置とホストコンピュータとが完全に切断された場合に接続を回復するものであり、無線システムにその他ハードウェアを付加する必要もない。
【０００８】
本発明のさらに他の目的は、前記再接続方法を実行するためのコンピュータプログラムを格納する、コンピュータ読取り可能媒体を提供するところにある。
【０００９】
図面および後述の実施形態を参照した後、当業者ならば本発明のその他目的、および本発明の技術的手法ならびに実施形態を理解することができる。
【発明を実施するための最良の形態】
【００１０】
本発明の第１の実施例は、図２に示すとおりである。これは無線ネットワーク環境中に用いられ、再接続で外部信号の干渉を回避可能な無線システムである。
この実施例では、複数のチャネルのうちの一つを選択的に用いて接続可能である。この無線システムは、ホストコンピュータ２０１および端末装置２０５を備え、かつ、無線システムは、電磁干渉源２０３を有する無線ネットワーク環境に置かれている。
この実施例において、この無線システムは、米国電気電子技術者協会（ＩＥＥＥ）８０２．１５．４規格が使用可能であり、一方、端末装置２０５のソフトウェア層は低速の無線近距離ネットワーク（Ｚｉｇｂｅｅ）モードであり、直接拡散技術（ＤＳＳＳ）で周波数領域を１０本（９１５ＭＨｚ）または１６本（２．４ＧＨｚ）のチャネルに分割する。よって、前記した複数のチャネルは、１０本または１６本のチャネルとすることができる。
もし電磁干渉源２０３が使用するソフトウェア層がワイファイ（ＷｉＦｉ）モードおよびＩＥＥＥ８０２．１１規格であり、かつ、直接拡散技術で１１本のチャネルに分割されているならば、この無線システムに干渉する可能性がある。
【００１１】
ワイファイとＩＥＥＥ８０２．１５．４では一部の周波数帯が重なっているため、端末装置２０５が電磁干渉源２０３の作用範囲２０７内にある場合、電磁干渉源２０３の影響を受けて、ホストコンピュータ２０１と端末装置２０５との接続が中断されるので、ホストコンピュータ２０１と端末装置２０５とは再接続しなければならない。
２．４ＧＨｚのＩＥＥＥ８０２．１５．４規格を例とすれば、ホストコンピュータ２０１と端末装置２０５とは、初期的には第１のチャネルを用いて接続するが、ホストコンピュータ２０１が第１のチャネルを用いての接続が異常であると判定したとき、例えば、端末装置２０５からの確認信号を受信していないとき、次のチャネル（第２のチャネル）を選択して端末装置２０５との接続を試みる。もし一定時間内に、ホストコンピュータ２０１が、第２のチャネルを介しても端末装置２０５が送出した応答を受け取っていないと判定したとき、次のチャネル（第３のチャネル）を選択して端末装置２０５と接続する。もし、ホストコンピュータ２０１が第２のチャネルを介して応答を受け取ったとき、ホストコンピュータ２０１は端末装置２０５が接続を維持可能なチャネルを報告したことを記録するが、この接続を維持可能なチャネルには、前記１６本のチャネルのうちの複数のチャネルが含まれ得る。
例えば、もし端末装置２０５が電磁干渉源２０３で電磁干渉されていると判断された場合、接続を維持可能なチャネルには第２のチャネルと、第４のチャネルと、第８のチャネルと、第１２のチャネルとが含まれ、ホストコンピュータ２０１が第２のチャネルを選択して接続したとき、端末装置２０５は、第２のチャネルと、第４のチャネルと、第８のチャネルと、第１２のチャネルとを接続を維持可能なチャネルとして報告し、ホストコンピュータ２０１は、これら接続を維持可能なチャネルに基づいて、そのうちの一つのチャネルを選択して端末装置２０５と再接続するようこれら接続を維持可能なチャネルを記録する。
【００１２】
もしホストコンピュータ２０１が、第３のチャネルを選択しても端末装置２０５からの応答を得られない場合、ホストコンピュータ２０１は応答を受け取るまで次のチャネルを選択し続ける。
【００１３】
同様に、もし端末装置２０５が第１のチャネルを用いての接続が異常であると判定したとき、つまり第１のチャネルを用いて接続したときにホストコンピュータ２０１との連絡が途絶えたことに応じて、次のチャネル（第２のチャネル）を選択してホストコンピュータ２０１と接続する。もし端末装置２０５が、第２のチャネルを介してもホストコンピュータ２０１からの信号を受信していないと判定したとき、次のチャネル（第３のチャネル）を選択してホストコンピュータ２０１と接続する。もし端末装置２０５が第３のチャネルを選択してもホストコンピュータ２０１と接続できない場合、端末装置２０５は信号を受信するまで次のチャネルを選択し続ける。
【００１４】
端末装置２０５がチャネルを切り換えてホストコンピュータ２０１と接続する前に、どのチャネルがクリアで接続を維持可能なチャネル、つまり第２のチャネルと、第４のチャネルと、第８のチャネルと、第１２のチャネルとがあるのかをホストコンピュータ２０１に報告するために、１６本のチャネル中のうちで接続を維持可能なチャネルをサーチする。尚、いわゆるクリアなチャネルとは電磁干渉を受けていない、または電磁干渉が比較的小さなチャネルのことを指す。ホストコンピュータ２０１が、これら接続を維持可能なチャネルを記録した後、ホストコンピュータ２０１が第４のチャネルが接続に最も適したチャネルであると確認すると、ホストコンピュータ２０１は第２のチャネル（端末装置２０５の応答を受け取ったチャネル）を介して、端末装置２０５に第４のチャネルに切り換えるよう通知し、ホストコンピュータ２０１と端末装置２０５とは、第４のチャネルを用いて引き続き接続する。
【００１５】
ホストコンピュータ２０１があるチャネルで端末装置２０５との接続の確立を試みる場合、ホストコンピュータ２０１は前記チャネルで所定時間留まるが、この所定時間は、端末装置２０５がこの１６本のチャネルを切り換えるための所要時間の２倍である。
例えば、端末装置２０５のチャネル切り換えの所要時間が０．５秒であるとすると、１６本のチャネルでは合計８秒要するので、ホストコンピュータがあるチャネルで応答を待つ時間は１６秒となり、これにより端末装置２０５の応答を逃さないようチャンスを確保している。
【００１６】
ホストコンピュータ２０１と端末装置２０５とは所定間隔時間内ごとに確認信号を互いに送信することで、接続が正常か否かを判断しており、もし確認信号をｎ回送信しても応答メッセージを受け取っていない場合、切断と見なす。
例えば、前記の所定間隔時間が５秒で、確認信号の送信回数が６回、つまり３０秒過ぎても応答メッセージを受け取っていなければ、ホストコンピュータ２０１と端末装置２０５との間は切断されたと見なし、ホストコンピュータ２０１と端末装置２０５とは、前記再接続の動作をそれぞれ実行する。
【００１７】
本発明の第２の実施例は、図３に示すとおりである。
これは、無線ネットワーク中に用いられ、再接続で外部信号の干渉を回避または低減可能な無線システムである。
第１の実施例と異なるのは、この実施例の無線システムは、複数の端末装置を備えているところである。この実施例では第１のチャネルと、第２のチャネルと、第３のチャネルとを含む複数のチャネルのうちの一つを選択的に用いて接続可能である。尚、この三本のチャネルは単に説明に用いるものであり、本発明に実際に応用される前記複数のチャネルの数は、これに限定されるものではない。
この無線システムは、第１の端末装置３０１と、第２の端末装置３０３と、第３の端末装置３０５と、第４の端末装置３０７と、ホストコンピュータ２０１とを備え、かつ、この無線システムは第１の電磁干渉源３０９と、第２の電磁干渉源３１１とを有する無線ネットワーク環境に置かれている。
この実施例において、無線システムは同様に２．４ＧＨｚのＩＥＥＥ８０２．１５．４規格を使用し、一方、電磁干渉源３０９、３１１のソフトウェア層もまたＷｉＦｉモードである。
【００１８】
もし電磁干渉源３０９、３１１の影響を受けると、ホストコンピュータ２０１と第１、第２および第４の端末装置３０１、３０３および３０７の接続がおそらく異常となり、最悪には接続が中断されるので、ホストコンピュータ２０１と第１、第２および第４の端末装置３０１、３０３および３０７は再接続しなければならない。
この実施例において、ホストコンピュータ２０１と第１、第２、第３および第４の端末装置３０１、３０３、３０５および３０７は、初期的には第１のチャネルを用いて接続されている。
図３に示すように、第１の端末装置３０１および第２の端末装置３０３が第１の電磁干渉源３０９の電磁干渉範囲３１３内に置かれ、第４の端末装置３０７が第２の電磁干渉源３１１の電磁干渉範囲３１５内に置かれている。
ホストコンピュータ２０１が、第１、第２および第４の端末装置３０１、３０３および３０７が第１のチャネルを用いての接続が異常であると判定したとき、次のチャネル（第２のチャネル）を選択して第１、第２および第４の端末装置３０１、３０３および３０７と接続するよう変更するが、第１のチャネルを用いて接続可能な第３の端末装置３０５は第１のチャネルを用いての接続を維持する。
もしホストコンピュータ２０１が、第２のチャネルを介しても第１、第２および第４の端末装置３０１、３０３および３０７が送出した応答を受け取っていないと判定すると、次のチャネル（第３のチャネル）を選択して接続を試みるよう変更する。もし第２のチャネルを用いて第１の端末装置３０１と接続できるのであれば、ホストコンピュータ２０１は一時的に第２のチャネルを用いて第１の端末装置３０１と接続し、かつ、ホストコンピュータ２０１は第１の端末装置３０１が送出した応答を受け取り、この端末装置３０１が接続を維持可能なチャネルを報告したことを記録する。
【００１９】
同様に、もし何れか一つの端末装置が第１のチャネルを用いての接続が異常であると自ら判定したとき、次のチャネル（第２のチャネル）を選択してホストコンピュータ２０１と接続するよう変更し、もし何れか一つの端末装置が第２のチャネルを介してもホストコンピュータ２０１からの信号を受信していないと判定したとき、次のチャネル（第３のチャネル）を選択してホストコンピュータ２０１と接続するよう変更する。
【００２０】
第１、第２、第３および第４の端末装置３０１、３０３、３０５および３０７が第１、第２、第３のチャネルまたはその他チャネルを選択してホストコンピュータ２０１と接続する前に、どのチャネルがクリアで接続を維持可能なチャネルであるかをホストコンピュータ２０１に報告するために、接続を維持可能なチャネルをサーチする。
表１は、各端末装置３０１、３０３、３０５および３０７に電磁干渉が発生したときにホストコンピュータ２０１と一時的に接続するチャネルおよび接続を維持可能なチャネルを示している。例を挙げれば、第２の端末装置３０３が最後にホストコンピュータ２０１と接続したチャネルは第１２のチャネルであり、第２の端末装置３０３は接続を維持可能なチャネルとして第３ないし第１３のチャネルを報告している。
ホストコンピュータ２０１がこれら報告を受け取った後、接続を維持可能で最適なチャネルを算出するものであり、この実施例では第４のチャネルであるので、ホストコンピュータ２０１はそれぞれ第１１、１２、１および７のチャネルを用いて第１、第２、第３および第４の端末装置３０１、３０３、３０５および３０７に第４のチャネルに切り換えるよう通知することで、再接続する。尚、ホストコンピュータ２０１は全ての端末装置が接続を維持可能なチャネルのうちの一つを再接続する共同のチャネルとして、または最も多くの端末装置が接続を維持可能な共同のチャネルのうち一つを選択する。
【００２１】
【表１】
2007135173.tif 000003
【００２２】
第２の実施例は、四台の端末装置を備えた無線システムであり、しかも所在する環境に二つの電磁干渉源を有する例で説明したものであるが、当業者であれば、端末装置の台数に限定がない無線システムで、しかも電磁干渉源の個数に限定がない所在環境の実施形態を容易に想到できる。
【００２３】
本発明の第３の実施例は、無線ネットワークの再接続方法であり、一台のホストコンピュータと一台の端末装置とを備えた一つの無線ネットワークシステムである。そのホストコンピュータと端末装置とは初期的に第１のチャネルを用いて接続し、しかも少なくともそのうちの一つが電磁干渉源の電磁波障害を受けるか、または切断されたことにより再接続しなければならない。
【００２４】
この再接続方法は図４に示すとおりである。
ステップ４０１を実行し、ホストコンピュータが元のチャネル（第１のチャネル）を用いての接続が正常であるか否かを判断する。もし正常であれば、所定時間の後にステップ４０１を繰り返して実行する。もし異常であれば、ステップ４０３を実行し、ホストコンピュータは次のチャネル（第２のチャネル）を選択して端末装置との接続を試みる。
続いて、ステップ４０５を実行し、ホストコンピュータが第２のチャネルを介して端末装置からの応答があったか否かを判断する。もし応答がない場合、ステップ４０３に戻り、次のチャネル（第３のチャネル）を改めて選択して端末装置と接続する。もし応答があった場合、ステップ４０７を実行し、ホストコンピュータは、端末装置が接続を維持可能なチャネルを報告したことを記録する。
次に、ステップ４０９を実行し、その接続を維持可能なチャネルに基づいて、ホストコンピュータは、接続を維持可能なチャネルのうちの一つ（第４のチャネル）に切り換えるよう端末装置に通知する。
そして、ステップ４１１を実行し、ホストコンピュータと端末装置とが第４のチャネルを用いて接続することで、再接続の手順が完了する。
【００２５】
同様に、もし端末装置がホストコンピュータと接続不可能となったことを発見すると、ステップ４１３を実行し、端末装置が元のチャネルを用いての接続が正常か否かを判断する。もし正常であれば、所定時間の後にステップ４１３を繰り返して実行する。もし異常であれば、ステップ４１５を実行し、端末装置は接続を維持可能なチャネルを検出する。
続いて、ステップ４１７を実行し、端末装置は次のチャネルを選択してホストコンピュータと接続する。
次に、ステップ４１９を実行し、端末装置がこのチャネルを介してホストコンピュータからの信号を受信したか否かを判断する。もし受信していない場合、ステップ４１７に戻り、次のチャネルを改めて選択して接続する。もし受信している場合には、ステップ４２１を実行し、切り換えられたチャネルの通知をこのチャネルを用いてホストコンピュータから受け取る。
そして、ステップ４１１に示すように、ホストコンピュータと端末装置とが切り換えられたチャネルで接続することで、再接続の手順が完了する。
【００２６】
より詳細には、もし端末装置がステップ４１３にて元のチャネルを用いても正常に接続できないことを発見し、一方でホストコンピュータがステップ４０１にて元のチャネルを用いての接続が異常であることを発見できていない場合、端末装置はまずステップ４１５を実行して接続を維持可能なチャネルを確定し、次にステップ４１７、４１９を実行して、ホストコンピュータと接続するチャネルのサーチを試みるとともに、接続を維持可能なチャネルをホストコンピュータに通知し、そしてホストコンピュータはステップ４０７、４０９および４１１を実行することになる。
【００２７】
前記の方法は、前記ホストコンピュータおよび／または端末装置に前記ステップを実行せしめるコンピュータプログラムを格納するコンピュータ読取り可能媒体を用いることが可能である。
このコンピュータ読取り可能媒体は、フロッピー（登録商標）ディスク、ハードディスク、光ディスク、携帯型メモリ、磁気テープ、ネットワークでアクセス可能なデータベースまたは当業者が容易に想到し得る同機能を備えた記憶媒体とすることができる。
【００２８】
本明細書中にて言うところの第１、第２、第３および第４のチャネルはそれがそれぞれ異なるチャネルであることを説明するに過ぎず、かつ、ホストコンピュータが選択する「第２のチャネル」と端末装置が選択する「第２のチャネル」は同一のチャネルに限定されるものではない。
【００２９】
上記から理解できるように、本発明では付属的な手段を付加することなく、ホストコンピュータまたは端末装置が単独で電磁波障害を受ける若しくは切断、またはホストコンピュータおよび端末装置が同時に電磁波障害を受ける若しくは切断された場合でも接続を回復できる。
【００３０】
上記の実施例は本発明の実施形態を例示し、本発明の技術的特徴を詳述するためのみであり、本発明の範囲を何ら限定するものではない。当業者が容易に完成し得る改変または同等なアレンジはいずれも本発明が主張する範囲に含まれるものであり、本発明の権利保護範囲は、特許請求の範囲を基準とすべきである。
【図面の簡単な説明】
【００３１】
【図１】無線ネットワークにて電磁干渉を低減する従来の機構の概略図である。
【図２】本発明に係る第１の実施例の概略図である。
【図３】本発明に係る第２の実施例の概略図である。
【図４】本発明に係る第３の実施例のフローチャートである。
【符号の説明】
【００３２】
１１  ホストコンピュータ
１３  ビーコン信号生成手段
１５  電磁干渉源
１７  端末装置
１９  帯域幅のカバー範囲
２０１  ホストコンピュータ
２０３  電磁干渉源
２０５  端末装置
２０７  電磁干渉の作用範囲
３０１  第１の端末装置
３０３  第２の端末装置
３０５  第３の端末装置
３０７  第４の端末装置
３０９  第１の電磁干渉源
３１１  第２の電磁干渉源
３１３  電磁干渉範囲
３１５  電磁干渉範囲
【図１】
2007135173.tif 000004
【図２】
2007135173.tif 000005
【図３】
2007135173.tif 000006
【図４】
2007135173.tif 000007